(57)【要約】【課題】  先端部において柔軟性が高く、それ以外の部分は復元力の大きなコルゲートチューブ装着治具を提供する。【解決手段】  長手方向に設けられたスリットＳを有するコルゲートチューブＣを、電線束Ｗに装着するためのコルゲートチューブ装着治具５である。このコルゲートチューブ装着治具５は、電線束Ｗを挟み込む略Ｕ字状の折り返し部５１と、この折り返し部５１に連続して電線束Ｗの両側に延びると共に互いに平行に配置され、且つ端縁が電線束Ｗに対して傾斜している側板部５２と、この側板部の傾斜している端縁に設けられ側板部５２の外側に延びるフランジ部５３とを備えている。また、上記折り返し部５１のうち、少なくともコルゲートチューブＣの挿入方向Ｘにおける先端部分の肉厚が、他の部分より薄肉に形成されている。【選択図】  図２
2006054977.tif 000002
【特許請求の範囲】
【請求項１】
長手方向に設けられたスリットを有するコルゲートチューブを、電線束に装着するためのコルゲートチューブ装着治具において、
前記電線束を挟み込む略Ｕ字状の折り返し部と、
前記折り返し部に連続して前記電線束の両側に延びると共に互いに平行に配置され、且つ端縁が前記電線束に対して傾斜している側板部と、
前記側板部の傾斜している端縁に設けられ前記側板部の側方に延びるフランジ部とを備え、
前記折り返し部のうち、少なくとも前記コルゲートチューブの挿入方向における先端部分が、他の部分より薄肉に形成されていることを特徴とするコルゲートチューブ装着治具。
【請求項２】
前記側板部の前記折り返し部における薄肉部分に対応する部分が、他の部分より薄肉に形成されていることを特徴とする請求項１に記載のコルゲートチューブ装着治具。
【発明の詳細な説明】
【技術分野】
【０００１】
本発明は、コルゲートチューブ装着治具に関する。
【背景技術】
【０００２】
ワイヤーハーネスを覆うために、コルゲートチューブ（オーバーラップチューブ）が使用されている。このコルゲートチューブの内径は、ワイヤーハーネスの外径と略同一であり、その中にワイヤーハーネスを挿入するために、中心線に沿って切込が設けられている。
【０００３】
従来、この切込を有するコルゲートチューブ内にワイヤーハーネスを挿入する際には、コルゲートチューブの切込を手で拡開しながら、拡開された部分からコルゲートチューブ内にワイヤーハーネスを挿入していた。
【０００４】
しかし、腰の強いコルゲートチューブを使用する場合には、切込を手で拡開するために大きな力が必要であり、作業に手間がかかるという問題があった。
【０００５】
そこで、上記の問題を解消するために、図４に示すように、コルゲートチューブ装着治具１０が提案されている（例えば、特許文献１参照）。
このコルゲートチューブ装着治具１０は、電線束Ｗ１を挟み込むＵ字状に曲成可能な挟持部１８と、この挟持部１８に連続して左右対称に対をなす側板部１２，１２とを有し、これらの挟持部１８と側板部１２，１２とが樹脂板で一体形成されている。
【０００６】
各側板部１２，１２には、挟持部１８に挟み込まれた電線束Ｗ１に対して斜めに交差する方向に延びるエッジ１６が設けられている。また、上記エッジ１６には、コルゲートチューブＣ１のスリット内に導入可能なフランジ部１５が延設されている。更に、上記フランジ部１５は、外径の異なる複数種類のコルゲートチューブＣ１に対応して、幅の異なる多段に分割されている。
【０００７】
このコルゲートチューブ装着治具１０は、挟持部１８を電線束Ｗ１に嵌め込み、コルゲートチューブＣ１の切込をフランジ部１５の上端部に嵌め込み、そのままコルゲートチューブＣ１をスライドさせることによって、コルゲートチューブＣ１を電線束Ｗ１に被せることができる。
【特許文献１】特開平２０００−５９９４３号公報
【発明の開示】
【発明が解決しようとする課題】
【０００８】
しかしながら、従来のコルゲートチューブ装着治具１０（図４参照）は、全体的に略同一の肉厚で形成されていたため、次のような問題があった。
【０００９】
すなわち、コルゲートチューブ装着治具１０の先端部は、コルゲートチューブC１が電線束Ｗ１に被せられる直前の位置であり、この位置では、コルゲートチューブＣ１のスリットＳが大きく開かれ、場合によっては、コルゲートチューブＣ１がフランジ部１５から外れてしまうおそれがあった。
【００１０】
本発明は、このような問題に鑑みてなされたもので、コルゲートチューブＣ１がフランジ部から外れるのを防止できるコルゲートチューブ装着治具を提供するものである。
【課題を解決するための手段】
【００１１】
１）本発明は、長手方向に設けられたスリットを有するコルゲートチューブを電線束に装着するためのコルゲートチューブ装着治具において、前記電線束を挟み込む略Ｕ字状の折り返し部と、前記折り返し部に連続して前記電線束の両側に延びると共に互いに平行に配置され、且つ端縁が前記電線束に対して傾斜している側板部と、前記側板部の傾斜している端縁に設けられ前記側板部の外側に延びるフランジ部とを備え、前記折り返し部のうち、少なくとも前記コルゲートチューブの挿入方向における先端部分が、他の部分より薄肉に形成されていることを特徴とする。
【００１２】
本発明では、折り返し部の先端部分が薄肉に形成されているので、先端部分の柔軟性が高くなる。また、先端部分以外の部分は、先端部分に比べて厚肉なので、復元力が大きくなる。
【００１３】
２）また、本発明は、前記側板部の前記折り返し部における薄肉部分に対応する部分が、他の部分より薄肉に形成されていることを特徴としている。
この場合は、先端部分の柔軟性を更に高くできる。
【発明の効果】
【００１４】
本発明によれば、折り返し部の少なくとも先端部分の柔軟性が高くなるので、コルゲートチューブを電線束に被せる直前の位置で、コルゲートチューブのスリットが大きく開かれても、折り返し部の先端部分がコルゲートチューブの弾性力で内側に変形し、スリットが必要以上に開かれるのを防止できる。従って、コルゲートチューブがフランジ部から外れるのを防止できる。
【００１５】
また、折り返し部における先端部分以外の部分が肉厚なので、復元力が大きくなる。従って、取り扱い性が良好になると共に、繰り返しの使用に耐えることができる。
【発明を実施するための最良の形態】
【００１６】
以下、本発明に係るコルゲートチューブ装着治具の実施の形態を図面を参照して詳細に説明する。
【００１７】
図１は、本発明に係るコルゲートチューブ装着治具５を示す。このコルゲートチューブ装着治具５は、電線束Ｗを挟む折り返し部５１と、この折り返し部５１の両辺から電線束Ｗの両側に互いに平行に伸びる側板部５２，５２と、側板部５２，５２の端縁から側板部５２，５２の側方に延びるフランジ部５３とを有している。
【００１８】
フランジ部５３は、折り返し部５１の先端を回り込んで設けられている。また、側板部５２，５２には、携帯時などに使用する孔５４，５４が設けられている。側板部５２は、略三角形状に形成されている。
【００１９】
また、本発明のコルゲートチューブ装着治具５は、上記の折り返し部５１のうち、少なくともコルゲートチューブCの挿入方向Ｘにおける先端部分に、薄肉部５１ａが設けられている。
【００２０】
図２に示すように、上記の薄肉部５１ａの肉厚ｔ１は、他の部分の肉厚ｔ２より薄く形成されている。
【００２１】
このコルゲートチューブ装着治具５を使用する場合は、図３に示すように、電線束Ｗを折り返し部５１で挟み、フランジ部５３の上側端縁にコルゲートチューブＣを嵌め入れる。これにより、両側のフランジ部５３，５３の間隔がコルゲートチューブＣによって狭められる。
【００２２】
そして、コルゲートチューブＣをそのままフランジ部５３，５３に沿って下側にスライドさせる。コルゲートチューブＣの先端が電線束Ｗにある程度まで接近すると、側板部５２，５２の変形量が少なくなり、フランジ部５３，５３の間隔がある程度の寸法より狭くならず、今度はコルゲートチューブＣのスリットＳが徐々に広げられる。
【００２３】
更に、コルゲートチューブＣを電線束Ｗの方向に前進させると、電線束Ｗが相対的にコルゲートチューブＣのスリットＳから内部に挿入され、電線束Ｗの全周が徐々にコルゲートチューブＣによって被覆される。
【００２４】
更にコルゲートチューブＣをフランジ部５３，５３に沿って前進させ、コルゲートチューブＣがコルゲートチューブ装着治具５から完全に離れたときに、電線束Ｗの所定の範囲がコルゲートチューブＣによって被覆される。
【００２５】
このように、本発明のコルゲートチューブ装着治具５は、折り返し部５１の少なくともコルゲートチューブＣの挿入方向Ｘにおける先端部分に、薄肉部５１ａが形成されているので、柔軟性が高くなる。
【００２６】
従って、電線束ＷにコルゲートチューブＣが被せられる直前において、コルゲートチューブＣのスリットＳが大きく開かれても、折り返し部５１の薄肉部５１ａがコルゲートチューブＣの弾性力で内側に比較的大きく変形し、スリットＳが過剰に開かれるのを防止できる。
【００２７】
これにより、コルゲートチューブＣが、コルゲートチューブ装着治具５の先端部分で外れてしまうのを防止できる。
【００２８】
また、折り返し部５１の先端部分以外の部分は、比較的厚肉なので、復元力が大きくなる。従って、コルゲートチューブＣをフランジ部５３，５３に嵌め込むとき、及びコルゲートチューブＣをフランジ部５３，５３に沿って前進させるときに、作業が容易になる。また、繰り返しの使用に耐えることが可能になる。
【００２９】
なお、上記の実施例では、折り返し部５１の先端部分を薄肉にしたが、側板部５２，５２における上記薄肉部５１ａに対応する部分を、他の部分より薄肉にできる。
【図面の簡単な説明】
【００３０】
【図１】本発明に係る実施形態を示す斜視図である。
【図２】図１のＡ−Ａ断面図である。
【図３】本発明に係る実施形態の作用を示す斜視図である。
【図４】従来例に係るコルゲートチューブ装着治具を示す斜視図である。
【符号の説明】
【００３１】
５，１０    コルゲートチューブ装着治具
１１    底部
１２，５２    側板部
１５，５３    フランジ部
１６    エッジ
１８    挟持部
５１    折り返し部
５１ａ    薄肉部
５２    側板部
５３    フランジ部
５４    孔
Ｃ，Ｃ１    コルゲートチューブ
Ｓ    スリット
Ｗ，Ｗ１    電線束
【図１】
2006054977.tif 000003
【図２】
2006054977.tif 000004
【図３】
2006054977.tif 000005
【図４】
2006054977.tif 000006